【手続補正書】
【提出日】平成26年11月25日(2014.11.25)
【手続補正１】
【補正対象書類名】特許請求の範囲
【補正対象項目名】全文
【補正方法】変更
【補正の内容】
【特許請求の範囲】
【請求項１】
基地局であって、
通信フレームのうちで、リファレンス信号以外の送信が制限される送信制限フレームを設定する設定部と、
隣接基地局の送信制限フレームの設定情報を受信する設定情報受信部と、
前記設定部により設定された送信制限フレームと、前記隣接基地局の送信制限フレームに基づいて、前記基地局が提供するセルにおける各通信フレームの干渉保護状態を判断する判断部と、
を備える、基地局。
【請求項２】
前記判断部は、
前記基地局および前記隣接基地局のいずれによっても前記送信制限フレームに設定されている通信フレームを保護フレームと判断し、
前記基地局および前記隣接基地局のいずれによっても前記送信制限フレームに設定されていない通信フレームを非保護フレームと判断する、請求項１に記載の基地局。
【請求項３】
前記判断部は、
前記基地局により前記送信制限フレームに設定されている通信フレームを、前記送信制限フレームに設定していない隣接基地局が存在する場合、当該通信フレームを不確定フレームと判断する、請求項１または２に記載の基地局。
【請求項４】
前記判断部は、
前記基地局または前記隣接基地局のいずれかにより前記送信制限フレームに設定されている通信フレームを、前記送信制限フレームに設定していない前記基地局または前記隣接基地局が存在する場合、当該通信フレームを不確定フレームと判断する、請求項１または２に記載の基地局。
【請求項５】
前記判断部は、前記基地局により前記送信制限フレームに設定されており、前記隣接基地局によって送信制限フレームに設定されていない非統一な通信フレームの干渉保護状態を、前記基地局より送信電力が低く、前記セル内に配置される低送信電力型の基地局の位置情報に基づいて判断する、請求項１または２に記載の基地局。
【請求項６】
前記判断部は、前記低送信電力型の基地局が前記基地局から所定範囲内に存在する場合、前記非統一な通信フレームを保護フレームと判断する、請求項５に記載の基地局。
【請求項７】
前記判断部は、前記低送信電力型の基地局が前記基地局から所定範囲外に存在する場合、前記非統一な通信フレームを非保護フレームまたは不確定フレームと判断する、請求項５または６に記載の基地局。
【請求項８】
前記判断部による判断結果を、前記基地局より送信電力が低く、前記セル内に配置される低送信電力型の基地局に通知する通知部をさらに備える、請求項１〜７のいずれか一項に記載の基地局。
【請求項９】
通信フレームのうちで、基地局からのリファレンス信号以外の送信が制限される送信制限フレームを設定することと、
隣接基地局の送信制限フレームの設定情報を受信することと、
前記基地局に設定された送信制限フレームと、前記隣接基地局の送信制限フレームに基づいて、前記基地局が提供するセルにおける各通信フレームの干渉保護状態を判断することと、
を含む、通信方法。
【請求項１０】
コンピュータを、
通信フレームのうちで、基地局からリファレンス信号以外の送信が制限される送信制限フレームを設定する設定部と、
隣接基地局の送信制限フレームの設定情報を受信する設定情報受信部と、
前記設定部により設定された送信制限フレームと、前記隣接基地局の送信制限フレームに基づいて、前記基地局が提供するセルにおける各通信フレームの干渉保護状態を判断する判断部と、
として機能させるための、プログラム。
【手続補正２】
【補正対象書類名】明細書
【補正対象項目名】０００３
【補正方法】変更
【補正の内容】
【０００３】
また、ＬＴＥのＲｅｌ１０では、ＡＢＳ（Ａｌｍｏｓｔ  Ｂｌａｎｋ  Ｓｕｂｆｒａｍｅ）という干渉制御方法が規格化された。ＡＢＳは、一部のサブフレームにおいてマクロｅＮｏｄｅＢからのリファレンス信号以外の送信を制限すること、または、マクロｅＮｏｄｅＢからのリファレンス信号以外の送信が制限されるサブフレームである。このＡＢＳに設定されたサブフレームでは、マクロｅＮｏｄｅＢが提供するセル内のピコｅＮｏｄｅＢに属するＵＥ（Ｕｓｅｒ  Ｅｑｕｉｐｍｅｎｔ）の受信信号に対する干渉を減少させることが可能である。なお、隣接するマクロｅＮｏｄｅＢ間で同一のサブフレームに設定されることが想定されていた。
【手続補正３】
【補正対象書類名】明細書
【補正対象項目名】００１１
【補正方法】変更
【補正の内容】
【００１１】
【図１】本開示の実施形態による通信システムの構成を示した説明図である。
【図２】４Ｇのフレームフォーマットを示した説明図である。
【図３】ピコｅＮｏｄｅＢのレンジ拡張エリアを示した説明図である。
【図４】ＡＢＳに設定されたサブフレームを示す説明図である。
【図５】ＭＢＳＦＮ型のＡＢＳに設定されたサブフレームを示す説明図である。
【図６】Ｃｏｎｆｉｇｕｒａｔｉｏｎの具体例を示した説明図である。
【図７】本開示の第１の実施形態によるｅＮｏｄｅＢの構成を示した機能ブロック図である。
【図８】干渉判断部による判断の具体例を示した説明図である。
【図９】本開示の第１の実施形態によるｅＮｏｄｅＢの動作を示したフローチャートである。
【図１０】干渉判断部による判断の変形例を示した説明図である。
【図１１】変形例による動作を示したフローチャートである。
【図１２】第１の実施形態の応用例を示した説明図である。
【図１３】本開示の第２の実施形態によるｅＮｏｄｅＢの構成を示した機能ブロック図である。
【図１４】ｅＮｏｄｅＢおよびピコｅＮｏｄｅＢの配置の一例を示した説明図である。
【図１５】本開示の第２の実施形態によるｅＮｏｄｅＢの動作を示したフローチャートである。
【図１６】本開示の第３の実施形態によるピコｅＮｏｄｅＢの構成を示した説明図である。
【図１７】本開示の第３の実施形態によるＵＥの構成を示した機能ブロック図である。
【図１８】本開示の第３の実施形態による信号品質の測定の具体例を示した説明図である。
【図１９】信号品質測定の応用例を示した説明図である。
【図２０】本開示の第３の実施形態による通信システムの動作を示したシーケンス図である。
【手続補正４】
【補正対象書類名】明細書
【補正対象項目名】００２９
【補正方法】変更
【補正の内容】
【００２９】
（制御領域の干渉制御−ＡＢＳ）
このため、制御領域の干渉制御のために、ＡＢＳ（Ａｌｍｏｓｔ  Ｂｌａｎｋ  Ｓｕｂｆｒａｍｅ）が採用された。ＡＢＳは、一部のサブフレームにおいてマクロｅＮｏｄｅＢからのリファレンス信号以外の送信を制限することであり、ＡＢＳに設定されたサブフレームは、リファレンス信号以外の送信が制限される送信制限フレームとなる。以下、図４を参照し、ＡＢＳについてより具体的に説明する。
【手続補正５】
【補正対象書類名】明細書
【補正対象項目名】００６５
【補正方法】変更
【補正の内容】
【００６５】
具体的には、干渉判断部１７０は、対象のサブフレームがサービングｅＮｏｄｅＢ１０によりＡＢＳに設定されているか否かを判断する（Ｓ４１２）。そして、対象のサブフレームがサービングｅＮｏｄｅＢ１０によりＡＢＳに設定されていない場合、干渉判断部１７０は当該サブフレームを非保護フレームと判断する（Ｓ４１６）。
【手続補正６】
【補正対象書類名】明細書
【補正対象項目名】００６６
【補正方法】変更
【補正の内容】
【００６６】
一方、干渉判断部１７０は、対象のサブフレームがサービングｅＮｏｄｅＢ１０によりＡＢＳに設定されている場合、全ての隣接するｅＮｏｄｅＢ１０が当該サブフレームをＡＢＳに設定しているか否かを判断する（Ｓ４２０）。そして、全ての隣接するｅＮｏｄｅＢ１０が当該サブフレームをＡＢＳに設定している場合、干渉判断部１７０は当該サブフレームを保護フレームと判断する（Ｓ４２４）。一方、一部の隣接するｅＮｏｄｅＢ１０が当該サブフレームをＡＢＳに設定していない場合（Ｓ４２０）、干渉判断部１７０は当該サブフレームを不確定フレームと判断する（Ｓ４２８）。
【手続補正７】
【補正対象書類名】明細書
【補正対象項目名】００９３
【補正方法】変更
【補正の内容】
【００９３】
具体的には、干渉判断部１７２は、対象のサブフレームがサービングｅＮｏｄｅＢ１０−２によりＡＢＳに設定されているか否かを判断する（Ｓ４３６）。そして、対象のサブフレームがサービングｅＮｏｄｅＢ１０−２によりＡＢＳに設定されていない場合、干渉判断部１７２は当該サブフレームを非保護フレームと判断する（Ｓ４４０）。
【手続補正８】
【補正対象書類名】明細書
【補正対象項目名】００９４
【補正方法】変更
【補正の内容】
【００９４】
一方、干渉判断部１７２は、対象のサブフレームがサービングｅＮｏｄｅＢ１０−２によりＡＢＳに設定されている場合、全ての隣接するｅＮｏｄｅＢ１０−２が当該サブフレームをＡＢＳに設定しているか否かを判断する（Ｓ４４４）。そして、全ての隣接するｅＮｏｄｅＢ１０−２が当該サブフレームをＡＢＳに設定している場合、干渉判断部１７２は当該サブフレームを保護フレームと判断する（Ｓ４４８）。
【手続補正９】
【補正対象書類名】明細書
【補正対象項目名】００９６
【補正方法】変更
【補正の内容】
【００９６】
その後、干渉判断部１７２は、各サブフレームの判断結果に対応するＣｏｎｆｉｇｕｒａｔｉｏｎを特定し、特定されたＣｏｎｆｉｇｕｒａｔｉｏｎをＸ２通信部１５０がピコｅＮｏｄｅＢ３０に通知する（Ｓ４６０）。